(57)【要約】【課題】移動を規制することが可能であり、かつ、着脱自在な押縁を備えた建具を提供する。【解決手段】屋内外を連通する開口に設けられる面材と、前記開口に設けられる枠部と、  屋外側にて前記枠部に嵌合されることにより前記面材を前記枠部とともに挟む押縁と、前記押縁と係合して前記押縁の移動を規制する規制位置と、前記押縁と係合せず前記規制が解除される解除位置とを移動可能な係合規制部材と、を有し、前記係合規制部材は、移動される際に前記枠部と接触して弾性変形する弾性変形部を有し、前記弾性変形部が弾性変形することにより前記規制位置から前記解除位置への移動、及び、前記解除位置から前記規制位置への移動が可能となる。【選択図】図４
2008231867.tif 000002
【特許請求の範囲】
【請求項１】
屋内外を連通する開口に設けられる面材と、
前記開口に設けられる枠部と、
屋外側にて前記枠部に嵌合されることにより前記面材を前記枠部とともに挟む押縁と、
前記押縁と係合して前記押縁の移動を規制する規制位置と、前記押縁と係合せず前記規制が解除される解除位置とを移動可能な係合規制部材と、を有し、
前記係合規制部材は、移動される際に前記枠部と接触して弾性変形する弾性変形部を有し、
前記弾性変形部が弾性変形することにより前記規制位置から前記解除位置への移動、及び、前記解除位置から前記規制位置への移動が可能となることを特徴とする建具。
【請求項２】
請求項１に記載の建具であって、
前記係合規制部材は、前記規制位置と前記解除位置とにわたって前記枠部に対してスライド移動可能に設けられており、
前記弾性変形部には、前記係合規制部材の解除位置への移動を規制して規制位置に保持するための規制位置保持部を有し、
前記弾性変形部が弾性変形することにより規制位置保持部による規制が解除されることを特徴とする建具。
【請求項３】
請求項１または請求項２に記載の建具であって、
前記弾性変形部は、前記係合規制部材の規制位置への移動を規制して解除位置に保持する解除位置保持部を有し、
前記弾性変形部が弾性変形することにより解除位置保持部による規制が解除されることを特徴とする建具。
【請求項４】
請求項１乃至請求項３のいずれかに記載の建具であって、
前記押縁は、前記係合規制部材が屋内側から挿入される係合挿入部を有し、
前記係合規制部材が見込み方向に移動されて前記係合挿入部に挿入されることにより、前記押縁の移動が規制されることを特徴とする建具。
【請求項５】
請求項１乃至請求項４のいずれかに記載の建具であって、
前記係合規制部材は、前記押縁に係合される係合部と、
見込み方向に移動される際に押圧される押圧操作部と、を有し、
前記枠部は、前記面材の端面と対向して見込み方向に沿う対向面を有し、
前記係合部は、前記対向面に近接させて配置され、前記押圧操作部は、前記係合部より前記対向面から離れた位置に配置されていることを特徴とする建具。
【請求項６】
請求項５に記載の建具であって、
前記係合規制部材には、当該係合規制部材の移動方向に沿った長孔が設けられており、
前記枠部の前記対向面には、ガイドビスが固定されており、
前記ガイドビスは、前記長孔を挿通可能な挿通部と、当該長孔を挿通不可能且つ前記対向面と交差する方向への移動を規制する頭部とを有し、
前記係合規制部材は、前記長孔に前記挿通部が挿通した状態で規制位置と解除位置とにわたってスライド移動可能であることを特徴とする建具。
【発明の詳細な説明】
【技術分野】
【０００１】
本発明は、屋内外を連通する開口に設けられる面材を、枠部と枠部に嵌合された押縁とで挟むことにより固定する建具に関する。
【背景技術】
【０００２】
面材を枠部と枠部に嵌合された押縁とで固定する建具としては、例えば、サッシ枠にボルトによって固定される押縁を有する建具が知られている。具体的には、サッシ枠には、面材としてのガラスパネルの端部と対面する垂直立上壁と、垂直立上壁と対向する位置に取り付けられる押縁が係止される係止片とが設けられており、また、押縁を固定するための支持部材がボルトにて固定されている。そして、垂直立上壁とともにガラスパネルを挟むようにサッシ枠の係止片により係止された押縁は、ボルトにより支持部材に固定される（例えば、特許文献１参照）。
【０００３】
また、ボルトを使用しないで固定する押縁としては、押縁と係合するとともに、サッシ枠に取り付けられる押縁により押圧されてサッシ枠に取り付けられた支持部材に抜けないように挿入される固定部材により固定される押縁を有する建具も知られている。この固定部材はガラスパネルより押縁側から支持部材に挿入されている。
【特許文献１】実開平１−８２２９２号公報（図１、図２、図８）
【発明の開示】
【発明が解決しようとする課題】
【０００４】
ところで、建具は面材、特にガラスパネルの露出面積をできるだけ広くすることが望まれている。ところが、上記のように押縁がボルトによりサッシ枠等に固定される構成とした場合には、ボルトを回転させるための工具の進入スペースなどが必要となる場合があるため、ボルトの位置がサッシ枠から離れた位置（面材の面内方向中央側）に設定されることにより押縁のサイズが大きくなり、もってガラスパネルの露出面積が小さくなってしまう畏れがある。
【０００５】
また、ボルトを使用せずに押縁を取り付け、押縁が外れることを防止する上記固定部材は、押縁が固定された後には取り外すことができないため、例えば、ガラスパネルを損傷した際にはガラスパネルが交換し難いという課題があった。
【０００６】
本発明は、かかる課題に鑑みてなされたものであり、その目的とするところは、移動を規制することが可能であり、かつ、着脱自在な押縁を備えた建具を提供することにある。
【課題を解決するための手段】
【０００７】
かかる目的を達成するために本発明の建具は、屋内外を連通する開口に設けられる面材と、前記開口に設けられる枠部と、屋外側にて前記枠部に嵌合されることにより前記面材を前記枠部とともに挟む押縁と、前記押縁と係合して前記押縁の移動を規制する規制位置と、前記押縁と係合せず前記規制が解除される解除位置とを移動可能な係合規制部材と、を有し、前記係合規制部材は、移動される際に前記枠部と接触して弾性変形する弾性変形部を有し、前記弾性変形部が弾性変形することにより前記規制位置から前記解除位置への移動、及び、前記解除位置から前記規制位置への移動が可能となることを特徴とする建具である。  
このような建具によれば、係合規制部材が規制位置に位置する際には、屋外側に設けられている押縁の移動が規制されるので、押縁が枠部に嵌合された状態が維持されて面材を取り外すことはできず、また、係合規制部材が解除位置に位置する際には、押縁の移動に対する規制が解除されるので、押縁を枠部から取り外すことが可能となる。このとき、係合規制部材の弾性変形部が弾性変形することにより規制位置から解除位置への移動、及び、解除位置から規制位置への移動が可能となるので、弾性変形部が弾性変形するだけの力を加えて係合規制部材を移動させない限り、係合規制部材は移動しない。このため、規制位置に位置する係合規制部材が自然に解除位置に移動することはないので、係合規制部材を規制位置に移動させた後には、押縁の移動が規制された状態を維持させることが可能である。また、面材を交換する場合などのように押縁を外したい場合には、弾性変形部が弾性変形するだけの力を加えて規制位置に位置する係合規制部材を解除位置に移動させて、容易に押縁を取り外すことが可能である。
【０００８】
かかる建具であって、前記係合規制部材は、前記規制位置と前記解除位置とにわたって前記枠部に対してスライド移動可能に設けられており、前記弾性変形部には、前記係合規制部材の解除位置への移動を規制して規制位置に保持するための規制位置保持部を有し、前記弾性変形部が弾性変形することにより規制位置保持部による規制が解除されることが望ましい。  
このような建具によれば、係合規制部材を規制位置に保持するための規制位置保持部が弾性変形部に設けられているので、弾性変形部が弾性変形しないときには係合規制部材を規制位置に保持させ、弾性変形部を弾性変形させることにより規制位置保持部による規制を解除して係合規制部材を規制位置から移動させることが可能である。
【０００９】
かかる建具であって、前記弾性変形部は、前記係合規制部材の規制位置への移動を規制して解除位置に保持する解除位置保持部を有し、前記弾性変形部が弾性変形することにより解除位置保持部による規制が解除されることが望ましい。  
このような建具によれば、係合規制部材を解除位置に保持するための解除位置保持部が弾性変形部に設けられているので、弾性変形部が弾性変形しないときには係合規制部材を解除位置に保持させ、弾性変形部を弾性変形させることにより解除位置保持部による規制を解除して係合規制部材を解除位置から移動させることが可能である。このため、例えば、押縁を枠部に嵌合する際に、係合規制部材と押縁との干渉を避けるようにして係合規制部材を解除位置に保持させた状態で、押縁を容易に嵌合させることが可能である。
【００１０】
かかる建具であって、前記押縁は、前記係合規制部材が屋内側から挿入される係合挿入部を有し、前記係合規制部材が見込み方向に移動されて前記係合挿入部に挿入されることにより、前記押縁の移動が規制されることが望ましい。  
このような建具によれば、押縁の係合挿入部には屋内側から見込み方向に移動させた係合規制部材が挿入されているので、押縁の移動、すなわち見込み方向と交差する方向への移動を確実に規制することが可能であり、面材より押縁側から当該押縁が取り外されることを防止することが可能である。
【００１１】
かかる建具であって、前記係合規制部材は、前記押縁に係合される係合部と、見込み方向に移動される際に押圧される押圧操作部と、を有し、前記枠部は、前記面材の端面と対向して見込み方向に沿う対向面を有し、前記係合部は、前記対向面に近接させて配置され、前記押圧操作部は、前記係合部より前記対向面から離れた位置に配置されていることが望ましい。  
このような建具によれば、押縁に係合される係合部が枠部の対向面に近接させて配置されているので、押縁における係合部と係合する部位を枠部の対向面に近接した位置に配置することが可能である。このため、押縁の面材方向へ突出する部位を小さくすることが可能であり、面材の露出領域を大きく確保することが可能である。また、押圧操作部は係合部より枠部の対向面から離れた位置に配置されているので、係合部同様に枠部の対向面に近接させて押圧操作部が配置された場合より押圧操作し易い係合規制部材を備えることが可能である。このため、面材の露出領域を大きく確保しつつ、操作性の良い係合規制部材を実現することが可能である。
【００１２】
かかる建具であって、前記係合規制部材には、当該係合規制部材の移動方向に沿った長孔が設けられており、前記枠部の前記対向面にはガイドビスが固定されており、前記ガイドビスは、前記長孔を挿通可能な挿通部と、当該長孔を挿通不可能且つ前記対向面と交差する方向への移動を規制する頭部とを有し、前記係合規制部材は、前記長孔に前記挿通部が挿通した状態で規制位置と解除位置とにわたってスライド移動可能であることが望ましい。  
このような建具によれば、係合規制部材がガイドビスによってガイド保持された状態で規制位置と解除位置とにわたってスライド移動可能となっているため、押縁に対して係合規制部材を係合する作業が容易になる。
【発明の効果】
【００１３】
本発明によれば、移動を規制することが可能であり、かつ、着脱自在な押縁を備えた建具を提供することが可能である。
【発明を実施するための最良の形態】
【００１４】
以下、本発明の一実施形態に係る建具について図面を参照して説明する。  
本実施形態は、図１に示すような、建物の開口を部分的に閉塞し、ガラス３が嵌め付けられたＦＩＸ窓１０と、ＦＩＸ窓１０にて閉塞されない部分を閉塞可能に設けられた移動可能な障子５とを備えた建具としての窓ユニット１の、ＦＩＸ窓１０およびＦＩＸ窓１０が有する押縁２０を例に挙げて説明する。以下の説明においては、窓ユニット１を屋外側から見たときに上下となる方向を上下方向、左右となる方向を左右方向または見付け方向、屋内外方向（奥行き方向）を見込み方向として示す。
【００１５】
本実施形態のＦＩＸ窓１０は、図１および図２に示すように、例えば屋内外を連通する開口に設けられた矩形状の枠部としての枠体１１、ＦＩＸ窓１０にて閉塞される閉塞空間と障子５により閉塞される開閉空間とを仕切るための縦骨１７とに取り付けられる面材としてのガラス３、枠体１１および縦骨１７とともにガラス３を挟み、ガラス３の屋外側からガラス３を押さえるための押縁２０、を有している。本実施形態のガラスは、２枚のガラス板の周縁間にスペーサや封着剤を介在させて、互いに間隔を隔てて対面させた２層構造のガラス３を用いている。
【００１６】
本実施形態では、枠体１１を構成する上枠１２、下枠１３、左右の縦枠１４、１５のうち、上枠１２、下枠１３、右側に位置する縦枠（以下、右縦枠という）１５、および、上枠１２と下枠１３との間に設けられた縦骨１７とにより囲まれた空間が閉塞空間となり、上枠１２、下枠１３、右縦枠１５および、縦骨１７と４つの押縁２０とにてガラス３が保持されてＦＩＸ窓１０が構成されている。そして、枠体１１の見込み方向においてほぼ中央より屋外側の領域にＦＩＸ窓１０が設けられ、ほぼ中央より屋内側の領域は障子５が移動可能な領域となっている。
【００１７】
枠体１１および縦骨１７における屋外側の領域の、上枠１２、下枠１３、右縦枠１５、および、縦骨１７には、開口の中央方向に向かって突出され、その開口を閉塞するように設けられるガラス３の縁部と対面するガラス対面部位１２ａ、１３ａが、各々全長に亘って設けられている。本実施形態では上枠１２のガラス対面部位１２ａに後述する操作ピース３４が屋内側から挿入される孔部１２ｃ（図４）を有している。ここで、右縦枠１５、縦骨１７に設けられているガラス対面部位は図示していない。
【００１８】
上枠１２、下枠１３、右縦枠１５、および、縦骨１７の各ガラス対面部位１２ａ、１３ａには、屋外側、すなわちガラス３と対面する側にはシール材１６が設けられており、このシール材１６を介してガラス３が当接される。
【００１９】
本実施形態のＦＩＸ窓１０は、先に取り付けられた押縁２０が、後に取り付けられる押縁２０により押縁２０を取り外す方向への移動が規制されることにより、先に取り付けられた押縁２０が屋外側から外れないように構成されており、最後に取り付けられる押縁２０は、屋内側からの操作により押縁２０と係合して当該押縁２０の移動を規制する係合規制部材３０により外れないように構成されている。そして、上側の押縁２１、下側の押縁２２、左右の押縁２３、２４はいずれも、開口の中央側から枠体１１側に向かって移動されることにより枠体１１に嵌合される。このため、枠体１１に嵌合された押縁２０は、枠体１１から開口の中央側へ移動しない限り外れない。
【００２０】
本実施形態のＦＩＸ窓１０の押縁２０は図１に示すように、ＦＩＸ窓１０の見付け方向の幅とほぼ同じ幅の下側の押縁２２が最初に下枠１３に嵌合される。つぎに、左右の押縁２３、２４が右の縦枠１５及び縦骨１７に嵌合される。左右の押縁２３、２４は、既に取り付けられた下側の押縁２２の上面２２ａから上枠１２の水平面１２ｂまでの距離とほぼ同じ長さを有している。このため、左右の押縁２３、２４が取り付けられると、下側の押縁２２の上面２２ａに左右の押縁２３、２４の下端２３ａ、２４ａが当接されるので、下側の押縁２２の、開口中央側への移動（上方向への移動）が規制される。最後に、上側の押縁２１が上枠１２に嵌合される。上側の押縁２１は、既に取り付けられている左右の押縁２３、２４の見付け方向における間隔とほぼ同じ長さを有している。このため、上側の押縁２１が上枠１２に取り付けられると、左右の押縁２３、２４の内面側に上側の押縁２１の左右の端部２１ａが当接されるので、左右の押縁２３、２４の、開口中央側への移動（右方向、左方向への移動）が規制される。この状態では、上側の押縁２１を取り外さないと、左右の押縁２３、２４及び下側の押縁２２、さらにはガラス３を取り外すことはできない。しかしながら、上側の押縁２１を外してしまうと、その他のすべての押縁２２、２３、２４を外しガラス３をも取り外すことが可能である。このため、上側の押縁２１は、屋内側から係合規制部材３０により開口中央側への移動（下方向への移動）が規制されている。以下に、上側の押縁２１の開口中央側への移動を規制する構造について説明する。
【００２１】
上側の押縁（以下、上押縁という）２１の、開口中央側への移動を規制するための係合規制部材３０は、見込み方向に移動可能に上枠１２に取り付けられている。  
係合規制部材３０は、図３に示すように、上押縁２１に係合される係合部３２ａを有する係合ピース３２と、ユーザーにより操作される操作ピース３４とを有している。
【００２２】
係合ピース３２は、例えばステンレスやアルミニウム等の金属製であり、上枠１２における対向面としての水平面１２ｂと対面して近接される第１平板部３２ｂと、上枠１２の水平面１２ｂと間隔を隔て、第１平板部３２ｂとほぼ平行な面を有する第２平板部３２ｃとが段部にて繋がっている。係合ピース３２は、係合規制部材３０が上枠１２に取り付けられた際に、第１平板部３２ｂが屋外側に配置され、第２平板部３２ｃが屋内側に配置される。そして、第１平板部３２ｂの屋外側の端部が係合部３２ａとなり、第２平板部３２ｃには、操作ピース３４と係合するための凹部３２ｄが見付け方向の両端部であって、第２平板部３２ｃにおける見込み方向のほぼ中央に設けられている。また、第１平板部３２ｂには、第１平板部３２ｂにおける見付け方向の中央に、見込み方向に沿って長孔３２ｅが形成されている。この長孔３２ｅには、上枠１２に螺合されるガイドビスとしてのピン３６が挿入され、係合ピース３２が見込み方向に移動する際のガイドとなる。ここで、ピン３６は挿通部としての軸部３６ａの一方の端部側に雄ねじ３６ｂが形成され他方の端部が軸部３６ａより拡径された頭部３６ｃを有しており、頭部３６ｃの直径は長孔３２ｅの見付け方向の幅より大きく形成されている。
【００２３】
操作ピース３４は、樹脂製の部材であり、最も屋内側に配置されユーザーが操作する押圧操作部３４ａと、押圧操作部３４ａから見込み方向に突出され係合ピース３２の第２平板部３２ｃを挟持する２つの挟持部３４ｂとを有している。
【００２４】
押圧操作部３４ａは、操作ピース３４が屋内側から挿入される、ガラス対面部位１２ａの孔部１２ｃ（図４）より見付け方向の幅が広く形成されており、屋内側から押圧した際に操作ピース３４がガラス対面部位１２ａより屋外側に抜け落ちないように構成されている。押圧操作部３４ａの上下方向の高さは第２平板部３２ｃの厚みの２倍程度あり、両端部３４ｃを除き上側の約半分の領域は切り欠かれている。そして、押圧操作部３４ａの下側の約半分の領域に、係合ピース３２の第２平板部３２ｃの屋内側端部が当接される。このため、係合規制部材３０が上枠１２に取り付けられると、押圧操作部３４ａの両端部３４ｃを除く部位は、第１平板部３２ｂより上枠１２の水平面１２ｂから離れた位置に配置される。
【００２５】
また、押圧操作部３４ａの屋外側面３４ｄには、係合ピース３２の第２平板部３２ｃと係合した際に、第２平板部３２ｃが上方に移動して、係合ピース３２が傾くことを防止するための突起３４ｉが形成されている。
【００２６】
操作ピース３４の見付け方向における両端部３４ｃ側に挟持部３４ｂは設けられている。２つの挟持部３４ｂは、係合ピース３２の幅より僅かに広い間隔を隔てて形成されている。２つの挟持部３４ｂは、それぞれ上下方向の高さが幅方向（見付け方向）の厚みより高い板状をなし、見付け方向に弾性変形可能に形成された弾性変形部である。２つの挟持部３４ｂの内側面、すなわち互いに対向する面の見込み方向におけるほぼ中央には、第２平板部３２ｃに設けられた凹部３２ｄと係合する内側突片３４ｆが形成されている。また、２つの挟持部３４ｂの外側面には、押圧操作部３４ａ側と先端部側とにそれぞれ外側突片３４ｇ、３４ｈが設けられている。
【００２７】
上枠１２に取り付けられた係合規制部材３０は、図４（ｂ）に示すように、孔部１２ｃに屋内側から挿入された操作ピース３４の２つの挟持部３４ｂ間に係合ピース３２の第２平板部３２ｃが配置され、第２平板部３２ｃの２つの凹部３２ｄに各々挟持部３４ｂの内側突片３４ｆが係合されている。
【００２８】
また、係合ピース３２は、第１平板部３２ｂの長孔３２ｅに挿通されたピン３６が上枠１２に螺合され、ピン３６の軸部３６ａより拡径された頭部３６ｃに支持されて見込み方向に移動可能に取り付けられている。このとき、係合ピース３２は、係合ピース３２が移動した際に、ピン３６に長孔３２ｅの端部が突き当たるまでの領域で移動可能であるが、移動可能な領域においては、挟持部３４ｂの見付け方向外側への弾性変形が孔部１２ｃにより規制されているため、内側突片３４ｆと凹部３２ｄとの係合が解除されることはなく、係合ピース３２と操作ピース３４との係合状態が維持されて分離されることがないように構成されている。
【００２９】
押圧操作部３４ａ側に設けられた外側突片３４ｇは、押圧操作部３４ａの屋外側面３４ｄとの間隔がガラス対面部位１２ａの厚みより僅かに広くなる位置に形成されている。このため、係合規制部材３０を屋内側から屋外側に押圧し、押圧操作部３４ａの屋外側面３４ｄがガラス対面部位１２ａに当接された状態では、ガラス対面部位１２ａの屋外側面よりも押圧操作部３４ａ側の外側突片３４ｇが屋外側（見込み方向屋外側）に位置する
このとき、押圧操作部３４ａが押圧されて操作ピース３４が見込み方向に移動する際には、まず、押圧操作部３４ａ側の外側突片３４ｇの屋外側面がガラス対面部位１２ａの孔部１２ｃの周縁部における屋内側面と接触する。そして、押圧力により押圧操作部３４ａ側の外側突片３４ｇが孔部１２ｃの周縁部に押圧されると、挟持部３４ｂが弾性変形することにより押圧操作部３４ａ側の外側突片３４ｇが見込み方向屋外側に移動してガラス対面部位１２ａの孔部１２ｃを通過する。外側突片３４ｇがガラス対面部位１２ａの孔部１２ｃを通過した後に挟持部３４ｂの弾性変形が戻り、孔部１２ｃの周縁部よりも押圧操作部３４ａ側の外側突片３４ｇが見込み方向屋外側に移動する。よって、押圧操作部３４ａが孔部１２ｃより見付け方向の幅が広く形成されて屋外側への移動が規制されるとともに、孔部１２ｃの周縁部よりも押圧操作部３４ａ側の外側突片３４ｇが屋外側に位置することで、操作ピース３４がガラス対面部位１２ａと係合し、係合規制部材３０が屋内外方向（見込み方向）に移動することを防止する。上枠１２に取り付けられた係合規制部材３０が、ガラス対面部位１２ａと操作ピース３４との係合により屋内方向への移動が規制された状態で、係合ピース３２の係合部３２ａが上押縁２１に設けられた係合挿入部としてのスリット２１ｂに挿入されて上押縁２１の下方、すなわち開口の中央側への移動が規制される。このように、係合ピース３２が押縁２０と係合して押縁２０の移動が規制されたときの係合規制部材３０の位置が規制位置に相当し、押圧操作部３４ａ側の外側突片３４ｇが係合規制部材３０を規制位置に保持するための規制位置保持部に相当する。
【００３０】
また、先端側の外側突片３４ｈは、係合ピース３２と操作ピース３４とが係合されたままで操作ピース３４がある程度屋内側に引かれたときに、具体的には、少なくとも係合部３２ａの屋外側面が上押縁２１のスリット２１ｂの周縁部における屋内側面よりも屋内側に位置するように引かれたときに、先端側の外側突片３４ｈがガラス対面部位１２ａより屋内側に位置して、係合ピース３２が屋外方向に移動することを防止する。このとき、押圧操作部３４ａが引かれて操作ピース３４が移動する際に、まず先端側の外側突片３４ｈの屋内側面がガラス対面部位１２ａの孔部１２ｃの周縁部の屋外側面と接触する。そして、操作ピース３４が屋内側に引かれて先端側の外側突片３４ｈが孔部１２ｃの周縁部に押圧されると、挟持部３４ｂが弾性変形することにより先端側の外側突片３４ｈが見込み方向屋内側に移動してガラス対面部位１２ａを通過する。先端側の外側突片３４ｈがガラス対面部位１２ａを通過した後に挟持部３４ｂの弾性変形が戻り、孔部１２ｃの周縁部よりも先端側の外側突片３４ｈが見込み方向屋内側に移動する。このとき、係合ピース３２の係合部３２ａが上押縁２１のスリット２１ｂから抜け、上押縁２１の開口の中央側への移動（下方向への移動）に対する規制は解除される。よって、長孔３２ｅの屋外側端部とピン３６とによって屋内側への移動が規制されるとともに、先端側の外側突片３４ｈがガラス対面部位１２ａより屋内側に位置することで、操作ピース３４がガラス対面部位１２ａと係合し、係合規制部材３０が屋内外方向（見込み方向）に移動することを防止する。
【００３１】
以上のように、係合ピース３２が押縁２０と係合が解除され押縁２０の移動に対する規制が解除されたときの係合規制部材３０の位置が解除位置に相当し、先端側の外側突片３４ｈが係合規制部材３０を解除位置に保持するための解除位置保持部に相当する。
【００３２】
そして、上押縁２１を取り付ける際には、まず、図４（ａ）、図４（ｂ）に示すように、屋内側から係合規制部材３０の操作ピース３４を、先端側の外側突片３４ｈがガラス対面部位１２ａより屋内側に位置する解除位置まで屋内側に引き、係合ピース３２が屋外方向に移動しない状態を維持させておく。次に、既に取り付けられている左右の縦押縁２３、２４の間に、屋外側からガラス３に沿って開口中央側から上枠１２側に向かって上押縁２１を移動させ上枠１２に嵌合させる。そして、屋内側から係合規制部材３０の押圧操作部３４ａを屋外方向に押圧して、ガラス対面部位１２ａの屋外側面よりも押圧操作部３４ａ側の外側突片３４ｇが屋外側（見込み方向屋外側）に位置する規制位置まで移動させる。このとき、図４（ｃ）、図４（ｄ）に示すように、係合ピース３２の係合部３２ａが上押縁２１のスリット２１ｂに挿入される。
【００３３】
また、上押縁２１を取り外す場合には、まず、屋内側から押圧操作部３２ａを引き、先端側の外側突片３４ｈがガラス対面部位１２ａより屋内側に位置している解除位置に係合規制部材３０を移動させる。その後、上押縁２１を上枠１２側から開口の中央側へ移動させることにより容易に取り外すことが可能である。
【００３４】
本実施形態の窓ユニット１によれば、係合規制部材３０が規制位置に位置する際には、屋外側に設けられている上押縁２１の移動が規制されるので、上押縁２１が上枠１２に嵌合された状態が維持されてガラス３を取り外すことはできず、また、係合規制部材３０が解除位置に位置する際には、上押縁２１の移動に対する規制が解除されるので、上押縁２１を上枠１２から容易に取り外すことが可能となる。このとき、係合規制部材３０の挟持部３４ｂが弾性変形することにより規制位置から解除位置への移動、及び、解除位置から規制位置への移動が可能となるので、挟持部３４ｂが弾性変形するだけの力を加えて係合規制部材３０を移動させない限り、係合規制部材３０は移動しない。このため、規制位置に位置する係合規制部材３０が自然に解除位置に移動することはないので、係合規制部材３０が規制位置に移動された後には、上押縁２１の移動を規制する状態を維持することが可能である。また、ガラス３を交換する場合などのように押縁２０を外したい場合には、挟持部３４ｂが弾性変形するだけの力を加えて規制位置に位置する係合規制部材３０を移動させ、まず上押縁２１を取り外し、その後他の押縁２２、２３、２４を容易に取り外すことが可能である。
【００３５】
また、上枠１２と係合して係合規制部材３０を規制位置に保持するための押圧操作部３４ａ側の外側突片３４ｇが挟持部３４ｂに設けられているので、挟持部３４ｂが弾性変形しないときには係合規制部材３０を規制位置に保持させ、挟持部３４ｂを弾性変形させることにより押圧操作部３４ａ側の外側突片３４ｇを孔部１２ｃ内を通過させて係合規制部材３０を規制位置から移動させることが可能である。また、上枠１２と係合して係合規制部材３０を解除位置に保持するための先端側の外側突片３４ｈが挟持部３４ｂに設けられているので、挟持部３４ｂが弾性変形しないときには係合規制部材３０を解除位置に保持させ、挟持部３４ｂを弾性変形させることにより先端側の外側突片３４ｈを孔部１２ｃ内を通過させて係合規制部材３０を解除位置から移動させることが可能である。このため、例えば、上押縁２１を上枠１２に嵌合する際に、係合規制部材３０が上押縁２１の移動の妨げとならないように係合規制部材３０を解除位置に保持させた状態で、上押縁２１を容易に上枠１２に嵌合させることが可能である。
【００３６】
また、上押縁２１に係合される係合部３２ａが上枠１２の水平面１２ｂ側（上方向側）に近接させて配置されているので、上押縁２１側に設けられるスリット２１ｂをより上枠１２側に設けることが可能である。このため、上押縁２１のサイズをより小さくしてガラス３の露出領域を大きく確保することが可能である。また、押圧操作部３４ａは係合部３２ａより上枠１２の水平面１２ｂから離れた位置（下方向に離れた位置）に配置されているので、係合部３２ａ同様に上枠１２の水平面１２ｂに近接させて配置された場合より押圧操作し易い位置に配置させることが可能である。このため、ガラス３の露出領域を大きく確保しつつ、操作性の良い係合規制部材３０を実現することが可能である。
【００３７】
ところで、上押縁２１と係合する係合部３２ａは強固であることが望ましいが、挟持部３４ｂは、弾性変形可能であることが要求される。このため、係合規制部材３０を、係合部３２ａを有する係合ピース３２と、押圧操作部３４ａ及び挟持部３４ｂを有する操作ピース３４との別の部材にて構成することにより、係合部３２ａが強固であり、挟持部３４ｂが弾性変形しやすい係合規制部材３０を実現することが可能である。よって、操作性が良く、より確実に上押縁２１の移動を規制することが可能である。なお、係合規制部材３０を、係合ピース３２と操作ピース３４とを一体成形して一部材にて構成しても良い。
【００３８】
上記実施形態においては、上押縁２１を枠体１１に最後に取り付ける押縁とし、上押縁２１の開口中央側への移動を規制する例について説明したが、最後に取り付ける押縁は、下側の押縁２２及び左右の押縁２３、２４のいずれであっても構わないし、押縁同士で押縁の脱着を規制しないものでも良い。また、２つ以上の押縁の、開口中央側への移動を規制すべく、２つ以上の押縁に係合する係合規制部材を備えていてもよい。例えば、上枠１２の水平面（対向面）１２ｂと下枠の対向面との間隔とほぼ同じ長さに形成した左右の押縁２３、２４を先に縦枠１４、１５或いは縦骨１７に嵌合し、次に左右の押縁２３、２４の間に、上下の押縁２１、２２を上枠１２及び下枠１３に嵌合してもよい。このとき、上下の押縁２１、２２の移動を、いずれも係合規制部材３０にて規制する構成としても良いが、図２の下側の押縁２２のように、押縁２２が上面しか露出していないような外部から外し難い形態であれば、上側の押縁２１のみが係合規制部材３０にて規制されていればよい。
【００３９】
また、上記実施形態においては、上下の押縁２１、２２を上下方向、左右の押縁２３、２４を左右方向に移動することで枠体１１に対して着脱自在としたが、屋内外方向に回転させることで枠体１１に取り付ける押縁であっても良い。
【００４０】
また、係合規制部材３０を見込み方向（屋内外方向）に直線的にスライド移動することで規制位置と解除位置とにわたって移動可能としたが、垂直軸を中心に回転スライドさせて規制位置と解除位置とにわたって移動可能としたものでも良い。
【００４１】
また、本実施形態においては、押圧操作部３４ａの両端部３４ｃを除き上側の約半分の領域を切り欠いた構成とした。このため、係合規制部材３０を屋内側から屋外側に押圧して移動させ、押圧操作部３４ａの屋外側面３４ｄをガラス対面部位１２ａに当接させた状態であっても、ガラス対面部位１２ａに設けられた孔部１２ｃと押圧操作部３４ａの切り欠かれた部位とにより、ガラス３の端部と枠体１１と押縁２０とにて囲まれる空間（ガラス３の端部と水平面１２ｂとガラス対面部位１２ａと押縁２０とによって区画された空間）と屋内側の空間とを連通する孔が形成される。
【００４２】
この孔は、前述した囲まれた空間内の気圧を下げる孔として機能する。具体的には、本実施形態の窓ユニット１はガラス３が外押縁にて固定されている。外押縁の場合には、屋外側に位置する押縁と枠体との嵌合部に、金属同士の接触による僅かな隙間が生じている場合がある。そして、窓ユニットには屋外側から風圧等がかかるため、押縁と枠体との嵌合部の隙間から空気が入り込みガラス３の端部と枠体１１と押縁２０とにて囲まれる空間内の気圧が上昇する畏れがある。それによって、屋内側の結露水等を屋外側に排出する排水機能を有する下枠が前述した区画された空間と連通しているため、下枠内の空間の気圧も上昇して排水機能が低下する畏れがある。このため、孔部１２ｃと押圧操作部３４ａの切り欠かれた部位とによる孔を設け、ガラス３を取り囲む枠体１１と押縁２０とにて囲まれる空間内の気圧を下げている。ここで、気圧を下げるための孔は、必ずしも孔部１２ｃと押圧操作部３４ａの切り欠かれた部位とにより形成する必要はなく、ガラス対面部位１２ａに単なる孔を設けてもよい。さらに、孔の代わりにガラス３を取り囲む空間からの空気の排出を許容し、屋内側から当該空間への空気の進入を規制する逆止弁構造としても良い。
【００４３】
本実施形態においては、ガラスを複層のガラスとしたが、これに限るものではなく、また、面材をガラスとしたが、面材はガラスに限るものではない。
【００４４】
本実施形態においては、枠部を縦骨として説明したが、上枠、下枠、左右の縦枠のいずれを枠部とし、その枠部に応じた押縁にて上記の構成を実現する形態であっても構わない。さらに、必要に応じて、枠部が障子の框であり、框に応じた押縁により美観に優れた障子およびその障子を備えた建具を提供することが可能である。
【００４５】
また、面材としては、ＦＩＸされた固定面材であっても良く、スライド自在または回動自在な可動面材等であっても良い。
【００４６】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【図面の簡単な説明】
【００４７】
【図１】本実施形態に係るＦＩＸ窓を有する窓ユニットを屋外側からみた外観図である。
【図２】窓ユニットの縦断面図である。
【図３】本実施形態に係る係合規制部材を説明するための斜視図である。
【図４】図４（ａ）は、解除位置に位置する係合規制部材を説明するための側面図である。図４（ｂ）は、図４（ａ）を下方から見た図である。図４（ｃ）は、規制位置に位置する係合規制部材を説明するための側面図である。図４（ｄ）は、図４（ｃ）を下方から見た図である。
【符号の説明】
【００４８】
１  窓ユニット、３  ガラス、１０  ＦＩＸ窓、１１  枠体、１２  上枠、
１２ａ  ガラス対面部、１２ｂ  水平面、１２ｃ  スリット、２０  押縁、
２１  上押縁、３０  係合規制部材、３２  係合ピース、３２ａ  係合部、
３２ｅ  長孔、３４  操作ピース、３４ａ  押圧操作部、３４ｂ  挟持部、
３４ｇ  内側突片、３４ｈ  先端側の内側突片、３６  ピン、３６ａ  軸部、
３６ｃ  頭部
【図１】
2008231867.tif 000003
【図２】
2008231867.tif 000004
【図３】
2008231867.tif 000005
【図４】
2008231867.tif 000006